(57)【要約】【課題】手摺棒として利用可能であり、施工する際に別体の取付金具を不要とすると共に、意匠的に優れた握り棒を提供する。【解決手段】直線の棒状の握り部２及び該握り部２の両端に形成されたアール部３、３が一体に設けられ、アール部３には表面から一定の深さに設けられた溝５内に握り棒端部となるアール部端面に貫通する固定用穴４が設けられ、該溝５に固定用穴を覆うと共に溝の表面がアール部表面と面一になるように化粧部材６を嵌合して、木製握り棒１を構成した。【選択図】  図１
2004339875.tif 000002
【特許請求の範囲】
【請求項１】
木製の棒状体であり、直線状の握り部及び該握り部の両端のアール部とが一体に形成されており、アール部の曲面に凹部が形成され、該凹部内にアール部の端面に貫通する止ねじ用貫通穴が設けられ、該貫通穴を覆うアール部の凹部に化粧部材が取外し可能に嵌合されており、化粧部材嵌合後のアール部がアール部の表面と面一に形成されていることを特徴とする木製握り棒。
【請求項２】
握り部とアール部との境界に、切断用の溝状凹部が設けられている請求項１記載の木製握り棒。
【発明の詳細な説明】
【０００１】
【発明の属する技術分野】
本発明は、住宅の屋内の階段の壁面、或いは廊下の壁面等に設けられる手摺を形成するために用いられる木製の握り棒に関するものである。
【０００２】
【従来の技術】
従来から、住宅内の階段や廊下の壁面に棒状の手摺を取付けることが行われている。このような手摺として、例えば、図５（ａ）に示すように棒状の手摺本体１０１がブラケット１０２に取付られ、該ブラケット１０２が壁面１００に固定されている手摺が公知である（例えば特許文献１参照）。
【０００３】
また図５（ｂ）に示すように、直線状の棒状体１０３と該棒状体１０３の両端に取付られるアール状部材１０４とから手摺本体を構成し、アール状部材１０４を壁面固定部材として、該アール状部材１０４の端面をねじ等で壁面１００に取付てなる手摺が公知である。
【０００４】
一般に棒状の手摺本体１０１や棒状体１０３等は金属或いは木製等各種の材質により製造されているが、取付部材１０２及びアール状部材１０４は、アルミニウム、真鍮などの金属製の金物が用いられていた。
【０００５】
【特許文献１】
特開平８−３５３０９号公報（図４）
【０００６】
【発明が解決しようとする課題】
上記従来の手摺はいずれも、壁面に取付る場合、手摺本体とは別体の部品として構成される取付部材１０２及びアール状部材１０４等の金物が必要である。しかし別体の部品を準備することは、手間がかかるという問題がある。更に部品点数が増えると部品の管理が繁雑になってしまう。
【０００７】
また、高級感を出すために木製の手摺が用いられることが多い。その場合、上記従来の手摺では、手摺本体や棒状体が木製であっても、取付部材が金属製の金物では、意匠的な統一感がなくなってしまう。また、手摺本体を木製として高級感を出しても、取付金具が金属では見た目が良くないので意匠性が低下するという問題があった。
【０００８】
本発明は上記従来技術の欠点を解消するためになされたものであり、手摺棒として利用可能であり、施工する際に別体の取付金具を必要とせずに、意匠的に優れた握り棒を提供することを目的とする。
【０００９】
【課題を解決するための手段】
本発明は、
（１）木製の棒状体であり、直線状の握り部及び該握り部の両端のアール部とが一体に形成されており、アール部の曲面に凹部が形成され、該凹部内にアール部の端面に貫通する止ねじ用貫通穴が設けられ、該貫通穴を覆うアール部の凹部に化粧部材が取外し可能に嵌合されており、化粧部材嵌合後のアール部がアール部の表面と面一に形成されていることを特徴とする木製握り棒、
（２）握り部とアール部との境界に、切断用の溝状凹部が設けられている上記（１）記載の木製握り棒、
を要旨とするものである。
【００１０】
【発明の実施の形態】
以下、本発明の実施態様について図面に基づき詳細に説明する。図１は本発明木製握り棒の一態様を示す外観斜視図である。図１に示すように本発明木製握り棒１は、木製の直線の棒状の握り部２及び該握り部２の両端にアール部３、３が一体に形成されている。なおアール部３は９０度の角度に湾曲している。なお図中６は後述する嵌合溝に取付られた化粧部材、８は握り部２とアール部３との境界に形成された切断用の切欠き溝である。
【００１１】
図２は図１の木製握り棒の端部付近の分解斜視図である。アール部３には図２に示すように、握り棒１の端部となるアール部端面３１に貫通する固定用穴４が設けられている。固定用穴４は、表面から一定の深さに設けられた嵌合溝５内に設けられている。嵌合溝５には化粧部材６が嵌合することで、固定用穴４を覆うと共に、図１に示すように化粧部材６を嵌合した後の嵌合溝５の表面がアール部３の他の表面と面一になるように、化粧部材６が形成されている。
【００１２】
図２に示すように嵌合溝５は、アール部端面３１から切断用切欠き溝８のところまで、断面がコ字状の溝状凹部として形成されている。図３は図１の握り棒のアール部３をアール部端面３１側から見た分解斜視図である。図３及び図２に示すように、嵌合溝５のアール部端面３１付近の凹部側壁には、化粧部材６に設けられた凹部９に対応して化粧部材６が握り棒１の長手方向に動くのを防止する為の突起１０が設けられている。
【００１３】
また固定用穴４は図３に示すようにアール部端面３１のほぼ中心に貫通する位置に設けられている。
【００１４】
図１に示す握り棒１は壁面に固定することで手摺を構築することが出来る。具体的には、図２に示すように、貫通穴４には木ねじ７等を通し、アール部端面３１が壁面等に接するようにして固定する。その後、化粧部材６を嵌合溝５に取付て、貫通穴４を覆う。
【００１５】
化粧部材６を嵌合溝５に取付るには、図３に示すように、まず化粧部材６の端部が突起１０の後方になる位置（凹部９と突起１０が接触しない位置）で嵌合させる。そして、嵌合溝５の突起１０が化粧部材６の凹部９に挿入する方向にスライドさせて、化粧部材６の端面６ａがアール部端面３１と面一になるまで押込む。そうすると、化粧部材６の表面とアール部３の表面とが面一になるように固定できる。
【００１６】
このようにして、握り棒１を壁面等に容易に取付ることができる。取付用の木ねじ７は化粧部材６に覆われ、しかも化粧部材６を嵌合後のアール部３の表面が面一になるように形成されている。その結果、すっきりとした外観が得られる。
【００１７】
更に、図１に示す態様の握り棒１は、握り部２とアール部３、３との境界部に、握り棒の周囲が溝状凹部として形成された切断用切欠き溝８、８が設けられている。切欠き溝８は、現場で握り棒１を切断する場合のガイド溝となるものであり、図１の握り棒１では、周囲全体に亘り設けられているが、現場で切断する際の切断用ガイドとして利用可能であれば特にその態様に限定されない。
【００１８】
図１の握り棒を切欠き溝から切断した場合、図４（ａ）に示すようにール部３のみからなる部材１１、同図（ｂ）に示すように握り部２と片方のアール部３のみからなる部材１２、同図（ｃ）に示すように握り部２のみからなる部材１３が得られる。このように、切欠き溝８が設けられていると、現場で確実に切断することができるために、手摺形状等に応じて現場ですぐに対応することができる。
【００１９】
図１に示す木製握り棒１は、それを単独で、住宅の室内の壁面にアール部端面３１を当接させ固定することで、手摺棒として利用することができる。握り棒１は垂直、水平或いは斜めのいずれの状態で取付けてもよい。
【００２０】
【発明の効果】
本発明握り棒は、木製の棒状体であり、直線状の握り部及び該握り部の両端のアール部とが一体に形成されており、アール部の曲面に凹部が形成され、該凹部内にアール部の端面に貫通する止ねじ用貫通穴が設けられ、該貫通穴を覆うアール部の凹部に化粧部材が取外し可能に嵌合されており、化粧部材嵌合後のアール部がアール部の表面と面一に形成されていることにより、手摺棒として手摺の形成に利用可能であり、その手摺を施工する際に別体の取付金具が不要であり、更にアール部と握り部とが一体の木製であるから従来のように金属制取付部材の如き金物を使用しないために意匠的に優れた手すりを構成することができる。
【図面の簡単な説明】
【図１】本発明木製握り棒の一態様を示す外観斜視図である。
【図２】図１の木製握り棒の端部付近の分解斜視図である。
【図３】図１の木製握り棒の端部付近をアール部端面側から見た分解斜視図である。
【図４】図１の木製握り棒を切断用溝から切断した場合の各種態様を示す説明図である。
【図５】（ａ）、（ｂ）は従来の壁付き手摺の各種態様を示す説明図である。
【符号の説明】
１  木製握り棒
２  握り部
３  アール部
４  固定用穴
５  嵌合溝
６  化粧部材
７  木ねじ
８  切断用の切欠き溝
【図１】
2004339875.tif 000003
【図２】
2004339875.tif 000004
【図３】
2004339875.tif 000005
【図４】
2004339875.tif 000006
【図５】
2004339875.tif 000007